(57)【要約】【課題】  室内アンテナ１を壁面２０に取り付ける時に，木ネジ２１などにケーブル６またはコード７を引っ掛けて傷つけることを防止し，ケーブル６またはコード７の特性を損なうこと無く固定することができる室内アンテナ１を提供する。【解決手段】  ケース２の底面３に，壁面取り付け用の取付孔１２と，ケース２から引き出されたケーブル６またはコード７を固定するＵ字型の溝１０を備え，前記Ｕ字型の溝１０は前記壁面取り付け用の取付孔１２より，ケース２の底面３の中心線に対して遠い位置に配置して構成した。【選択図】  図２
2005094155.tif 000002
【特許請求の範囲】
【請求項１】
卓上，または壁面に取り付けて使用する室内アンテナにおいて，
ケースの底面に，壁面取り付け用の取付孔と，ケースから引き出されたケーブルまたはコードを固定するＵ字型の溝を備え，
前記Ｕ字型の溝は前記壁面取り付け用の取付孔より，ケースの底面の中心線に対して遠い位置に配置したことを特徴とする室内アンテナ。
【請求項２】
ケースから引き出されるケーブルまたはコードは複数設けられ，それぞれ伝送する周波数毎に分けられていることを特徴とする請求項１に記載の室内アンテナ。
【発明の詳細な説明】
【技術分野】
【０００１】
本発明は，主にテレビ受信用に利用される室内アンテナに関し，詳しくはそのケーブルまたはコードを固定するケースの構造に関する。
【背景技術】
【０００２】
従来のアンテナ装置では，ケースに設けられた２つの壁面取り付け用の孔の内側にケーブルを配置していたため，ケーブルを引き出す向きを変えるために，ケーブルの最小曲げ半径を保つためのスペースをケース内部に必要としていた。
（例えば，特許文献１参照）
【０００３】
【特許文献１】特開平２００３―８３３３号公報
【発明の開示】
【発明が解決しようとする課題】
【０００４】
しかし，従来のアンテナ装置によると，ケースに設けられた２つの壁面取り付け用孔の内側にケーブルを配置していたため，ケーブルの最小曲げ半径を保つためのスペースをケース内部に必要とするので，小型化を図る上で問題が有った。
そこで本願においては，こうした問題点を解決するためになされたものであり，
その目的は，卓上，または壁面に取り付けて使用する室内アンテナにおいて，
ケースの底面に，壁面取り付け用の取付孔と，ケースから引き出されたケーブルまたはコードを固定するＵ字型の溝を備え，
前記Ｕ字型の溝は前記壁面取り付け用の取付孔より，ケースの底面の中心線に対して遠い位置に配置して，
ケースから引き出されたケーブルまたはコードが前記取付孔の外側を通るように固定することにより，ケースの外部でケーブルを引き出す向きを変え，
ケーブルまたはコードの引き出し部分における曲げ半径を規定された最小曲げ半径以上に保ち，
更に，室内アンテナを壁面に取り付ける時に，木ネジなどにケーブルまたはコードを引っ掛けて傷つけることを防止し，ケーブルまたはコードの特性を損なうこと無く固定することができる室内アンテナを提供することを課題とする。
他の目的は，前記ケーブルまたはコードを複数設け，それぞれ伝送する周波数毎に分けることにより，室内アンテナ内部に周波数混合回路を必要としない，回路構成の簡単な室内アンテナを提供することを課題とする。
【課題を解決するための手段】
【０００５】
上記課題を解決するために，請求項１の発明は卓上，または壁面に取り付けて使用する室内アンテナにおいて，
ケースの底面に，壁面取り付け用の取付孔と，ケースから引き出されたケーブルまたはコードを固定するＵ字型の溝を備え，
前記Ｕ字型の溝は前記壁面取り付け用の取付孔より，ケースの底面の中心線に対して遠い位置に配置して構成される。
【０００６】
請求項２の発明は，請求項１の室内アンテナにおいて，前記ケーブルまたはコードは複数設けられ，それぞれ伝送する周波数毎に分けられて構成される。
【発明の効果】
【０００７】
以上詳述したように，請求項１の発明によれば，
卓上，または壁面に取り付けて使用する室内アンテナにおいて，
ケースの底面に，壁面取り付け用の取付孔と，ケースから引き出されたケーブルまたはコードを固定するＵ字型の溝を備え，
前記Ｕ字型の溝は前記壁面取り付け用の取付孔より，ケースの底面の中心線に対して遠い位置に配置して，
ケースの外部でケーブルを引き出す向きを変えられるようにしたので，ケーブルまたはコードの引き出し部分における曲げ半径を規定された最小曲げ半径以上に保ちながら，室内アンテナのケースを小型にできる。
また，室内アンテナを壁面に取り付ける時に，木ネジなどにケーブルまたはコードを引っ掛けて傷つけることを防止できるので，壁面への取り付け作業を容易にすることができる。
【０００８】
請求項２の発明によれば，
前記ケーブルまたはコードを複数設け，それぞれ伝送する周波数毎に分けることにより，室内アンテナ内部に周波数混合回路を設ける必要がなく，回路構成を簡単にすることができる。
【発明を実施するための最良の形態】
【０００９】
以下に，本発明を具体化した実施形態の例を，図面を基に詳細に説明する。
【実施例１】
【００１０】
本発明の第１の実施形態として図１，図３，図４，図５を参照して説明する。尚，以下の説明では，上記第１の実施形態の室内アンテナと同様の構成要素については同一符号を付与し，詳細な説明は省略する。
【００１１】
図４に示すように，室内アンテナ１はケース２，ループアンテナ４，ロッドアンテナ５，先端にアンテナプラグ８を設けたケーブル６とで構成されている。
室内アンテナ１のケース２は合成樹脂（たとえばＡＢＳ樹脂，ポリプロピレン樹脂等）によって形成されている。
それぞれのアンテナで受信した信号は図示していない調整回路を経てケーブル６に伝送される。
ケース２から引き出されたケーブル６は先端に設けたアンテナプラグ８により，テレビ受像機やＶＴＲなどに接続される。
室内アンテナ１を卓上で使用するときや，テレビ受像機等の上に置いて使用するときは，図４の状態で使用される。ループアンテナ４，ロッドアンテナ５は最適な状態に角度，長さの調整ができる。
【００１２】
次に，前記室内アンテナ１を壁面２０に取り付けて使用する場合の例を図３に示す。この場合は，壁面２０に，予め所定の位置に所定の距離を隔てて木ネジ２１を取り付けておき，室内アンテナ１のケース２に設けた取付孔１２を前記木ネジ２１に引っ掛けて固定される。
図１に，このときの室内アンテナ１の底面３のようすを示す。
ケース２の引き出し部９から引き出されたケーブル６は緩やかな曲げ半径１１を維持してＵ字型の溝１０に嵌めて固定される。このとき，ケーブル６が曲げられている部分はケース２の外側になり，ケース２による制約を受けないので，小型のケース２でも，ケーブル６の曲げ半径１１をケーブル６に規定された最小曲げ半径１１に保つことができる。
図５は図１に示すケース２のＡ−Ａ断面図である。
ケース２から引き出されたケーブル６はケース２の底面３に設けた取付孔１２の外側を通るように，Ｕ字型の溝１０で固定されるため，室内アンテナ１を壁面２０に取り付ける時に，木ネジ２１などにケーブル６またはコード７を引っ掛けて傷つけることを防止でき，壁面２０への取り付け作業を容易にすることができる。
【００１３】
図３のように室内アンテナ１を壁面２０に取り付けた場合は，室内アンテナ１の上部にケーブル６引出し部が設けられていても，ケーブル引出し部９から引き出されたケーブル６はケース２の底面３に設けたＵ字型の溝１０に嵌めて固定されるのでケーブル６を引き出す方向を下向きに変えられる。通常，室内アンテナ１は電波を受けやすいように比較的高い位置に固定され，
室内アンテナ１から引き出されたケーブル６の接続先であるテレビ受像機やＶＴＲは室内アンテナ１より低い位置にあるので，ケーブル６を自然な向きに配線をすることができる。
【実施例２】
【００１４】
次に本発明の第２の実施形態として図２を参照して説明する。
第１の実施形態と異なる点は，ケース２の内部に，アンテナで受信した信号を必要なレベルに増幅するための図示しない増幅回路を設けたことにより，電源供給用の電源アダプターとそれを接続するコード７が追加されている点である。
このコード７は，ケース２の底面３において，前記ケーブル６を固定するＵ字型の溝１０とは反対側に設けたＵ字型の溝１０に嵌めて固定されている。
このように室内アンテナ１にケーブル６やコード７等の複数の伝送線がある場合でも，これらの伝送線はそれぞれに対応するＵ字型の溝１０により，壁面取り付け用の２つの取付孔１２に対してそれぞれ外側に固定されるので，壁面２０に取り付けた木ネジ２１に，ケース２に設けた取付孔１２を引っ掛けて固定する際に，ケーブル６やコード７を引っ掛けて傷つける危険が無い。
なお，室内アンテナ１を卓上で使用する場合や，テレビ受像機等の上に置いて使用するときでも，ケーブル６やコード７の引き出し方向を反対側に変更したいときには上記の方法を利用できる。
【００１５】
尚，本発明は上記実施の形態に限定されるものではなく，以下に例示するように，本発明の趣旨を逸脱しない範囲で各部の構造並びに回路等を適宜に変更して実施することも可能である。
Ｕ字型の溝１０は，図２に示すようにように１本のケーブル６またはコード７に対して複数使用しても良いし，単独で使用しても良い。更に連続した形状でも良い。
室内アンテナ１に増幅回路を設けた場合，１本のケーブル６に高周波信号と電源を重畳させて使用しても良い。
更に，室内アンテナ１からそれぞれ帯域の異なる周波数の信号を伝送する複数のケーブル６を引き出しても良い。
【図面の簡単な説明】
【００１６】
【図１】本発明に係る室内アンテナ１の底面図を示す。
【図２】本発明に係る室内アンテナ１の底面図を示す。
【図３】壁面２０への取り付け方法を示す。
【図４】卓上で使用する状態を示す。
【図５】ケース２の断面図を示す。
【符号の説明】
【００１７】
１…室内アンテナ，２…ケース，３…ケース２の底面，４…ループアンテナ，５…ロッドアンテナ，６…ケーブル，７…コード，８…アンテナプラグ，９…引き出し部，１０…Ｕ字型の溝，１１…曲げ半径，１２…取付孔，２０…壁面，２１…木ネジ。 
【図１】
2005094155.tif 000003
【図２】
2005094155.tif 000004
【図３】
2005094155.tif 000005
【図４】
2005094155.tif 000006
【図５】
2005094155.tif 000007